(57)【要約】【課題】ホログラム記録媒体等の感光性記録媒体の遮光効果を向上できる、感光性記録媒体用カートリッジを提供する。【解決手段】本発明に係るカートリッジは、略板状に形成された第１シェルと、第１シェルに重ね合わされるように接合される第２シェルと、第１シェルと第２シェルとのうち少なくとも一方に設けられた開口を開閉するシャッタとを備え、第１シェルと第２シェルとを組み合わせてなるカートリッジ本体にディスク状の感光性記録媒体を回転自在に収容し、シャッタの端部には屈曲部が形成され、シャッタを閉じた状態で、屈曲部がカートリッジ本体の一部に当接するように形成されている。【選択図】  図４
2007052872.tif 000002
【特許請求の範囲】
【請求項１】
略板状に形成された第１シェルと、前記第１シェルに重ね合わされるように接合される第２シェルと、前記第１シェルと前記第２シェルとのうち少なくとも一方に設けられた開口を開閉するシャッタとを備え、前記第１シェルと前記第２シェルとを組み合わせてなるカートリッジ本体にディスク状の感光性記録媒体を回転自在に収容するカートリッジであって、
前記シャッタの端部には屈曲部が形成され、前記シャッタを閉じた状態で、前記屈曲部が前記カートリッジ本体の一部に当接するように形成されていることを特徴とするカートリッジ。
【請求項２】
前記シャッタを閉じた状態で、前記第１シェル及び前記第２シェルのうち前記開口が形成された側に、前記屈曲部に当接するように形成された突出部が形成されていることを特徴とする請求項１に記載のカートリッジ。
【請求項３】
前記突出部に、前記シャッタを閉じた状態で、前記屈曲部の前記カートリッジ本体と当接する当接面に対して面接触する傾斜面が形成されていることを特徴とする請求項２に記載のカートリッジ。
【請求項４】
前記シャッタを閉じた状態で、前記屈曲部が前記カートリッジ本体との当接によって弾性変形する金属材料又は樹脂材料で構成されていることと特徴とする請求項１から３のいずれか１つに記載のカートリッジ。
【請求項５】
前記カートリッジ本体は、前記感光性記録媒体に対する内面と、前記シャッタに対する外面とに、表面粗さRa５：〜２０μｍのマット加工、またはシボ加工が施されていることを特徴とする請求項１から４いずれか１つに記載の感光性記録媒体用カートリッジ。
【請求項６】
前記カートリッジ本体は、略板形状の第１シェルと、この第１シェルに重ね合わされて溶着される第２シェルからなり、前記第１シェル及び第２シェルは、同一または類似の熱可塑性プラスチックで形成され、かつシャッタを含むその他の部品は、該第１シェル及び第２シェルと異なる材質で形成されていることを特徴とする請求項１から５いずれか１つに記載の感光性記録媒体用カートリッジ。
【請求項７】
前記第１シェル及び第２シェルと、シャッタは、その成形に用いられるプラスチックに遮光性物質が０．０１〜５．００重量％添加されていることを特徴とする請求項１から６いずれか１つに記載の感光性記録媒体用カートリッジ。
【請求項８】
前記第１シェル及び第２シェルと、シャッタは、その成形に用いられるプラスチックにカーボンブラックが０．０１〜２．００重量％添加されていることを特徴とする請求項１から７いずれか１つに記載の感光性記録媒体用カートリッジ。
【請求項９】
前記第１シェル及び第２シェルと、シャッタは、その成形に用いられるプラスチックにシリコーン系滑剤が０．１〜５．０重量％添加されていることを特徴とする請求項１から８いずれか１つに記載の感光性記録媒体用カートリッジ。
【請求項１０】
前記感光性記録媒体は、ホログラム記録媒体であることを特徴とする請求項１から９いずれか１つに記載の感光性記録媒体用カートリッジ。
【発明の詳細な説明】
【技術分野】
【０００１】
本発明は、感光性記録媒体を収容する感光性記録媒体用カートリッジに関し、感光性記録媒体用カートリッジの遮光機構に関する。
【背景技術】
【０００２】
現在、下記特許文献１に示すように、データをホログラムによって記録するホログラム記録媒体が提案されている。ホログラム記録媒体は、円板形状の支持体上に感光性材料からなるホログラム記録層が積層された感光性記録媒体であり、データをレーザ光の干渉縞として一度に多層において記録を行うことにより、従来のＤＶＤよりも大きなデータ記録容量を得ることができる。ホログラム記録媒体は、ホログラム記録層が感光しないようにするため、下記特許文献２に示すように、遮光機能を有するカートリッジに収容された状態で取り扱われている。
【０００３】
【特許文献１】特開２００４−０２９４７６号公報
【特許文献２】特開２００３−３１７４２２号公報
【発明の開示】
【発明が解決しようとする課題】
【０００４】
ディスク状の記録媒体を収容するカートリッジとしては、一般的に、記録媒体を回転自在な状態で挟み込むようにして収容する上側シェル及び下側シェルと、これら上側シェル及び下側シェルに記録媒体の一部を外部に露呈させるように居形成される開口と、この開口を開閉するシャッタとを備えている構成が考えられる。しかし、シャッタが開口を開閉自在に構成するため、シャッタと上側シェル及び下側シェルとの間には実質的に僅かな隙間が形成され、この隙間から光がカートリッジ内に進入し、ホログラム記録媒体のホログラム記録層が、進入した光によって感光してしまうことが懸念される。
【０００５】
本発明は、上記事情に鑑みてなされたもので、その目的は、ホログラム記録媒体等の感光性記録媒体の遮光効果を向上できる、感光性記録媒体用カートリッジを提供することにある。
【課題を解決するための手段】
【０００６】
本発明の上記目的は、略板状に形成された第１シェルと、前記第１シェルに重ね合わされるように接合される第２シェルと、前記第１シェルと前記第２シェルとのうち少なくとも一方に設けられた開口を開閉するシャッタとを備え、前記第１シェルと前記第２シェルとを組み合わせてなるカートリッジ本体にディスク状の感光性記録媒体を回転自在に収容するカートリッジであって、前記シャッタの端部には屈曲部が形成され、前記シャッタを閉じた状態で、前記屈曲部が前記カートリッジ本体の一部に当接するように形成されていることを特徴とするカートリッジによって達成される。
【０００７】
本発明のカートリッジは、カートリッジ本体の開口をシャッタで閉じた状態では、シャッタの端部に形成された屈曲部がカートリッジ本体の一部に当接する。すると、シャッタの屈曲部とカートリッジ本体との間に隙間が生じないため、光が、シャッタの屈曲部とカートリッジ本体との間から進入することを回避することができる。また、シャッタを閉じた状態で屈曲部がカートリッジ本体と当接する構成であるため、シャッタの開閉を妨げることなく、遮光効果を向上させることができる。
【０００８】
上記カートリッジは、シャッタを閉じた状態で、第１シェル及び第２シェルのうち開口が形成された側に、屈曲部に当接するように形成された突出部が形成されていることが好ましい。こうすれば、開口をシャッタで閉じた状態とすると、シャッタの屈曲部がカートリッジ本体側に形成された突出部と当接する。シャッタの屈曲部とカートリッジ本体の突出部との間に隙間が生じることがないため、光進入することを回避することができる。また、突出部にシャッタの屈曲部を当接させるため、屈曲部を第１シェル及び第２シェルの表面に当接又は摺接しない位置に形成することができ、シャッタを開閉する際に屈曲部とカートリッジ本体とが擦れ合ってしまうことを防止することができる。
【０００９】
上記カートリッジは、突出部に、シャッタを閉じた状態で、屈曲部のカートリッジ本体と当接する当接面に対して面接触する傾斜面が形成されていることが好ましい。こうすれば、シャッタを閉じた際に、屈曲部と突出部とが面接触することで、例えば、屈曲部の縁辺のみでカートリッジ本体に接触する構成に比べ、隙間が生じてしまうことをより一層確実に防止することができる。
【００１０】
上記カートリッジは、シャッタを閉じた状態で、屈曲部がカートリッジ本体との当接によって弾性変形する金属材料又は樹脂材料で構成されていることが好ましい。こうすれば、シャッタを閉じた際に、屈曲部が所定の圧力でカートリッジ本体側に押し付けられることで、屈曲部が弾性変形した状態となり、弾性によって復元しようとする力によって屈曲部とカートリッジ本体との接触圧が高くなる。このため、屈曲部とカートリッジ本体側とが屈曲部の弾性変形の接触圧により密着するため、両者の間に隙間が生じにくく、遮光効果を向上させることができる。
【００１１】
本発明に係る感光性記録媒体用カートリッジは、カートリッジ本体が、感光性記録媒体に対する内面と、シャッタに対する外面とに、表面粗さRa５：〜２０μｍのマット加工、またはシボ加工が施されていることが好ましい。
カートリッジ本体は、略板形状の第１シェルと、この第１シェルに重ね合わされて溶着される第２シェルからなり、第１シェル及び第２シェルは、同一または類似の熱可塑性プラスチックで形成され、かつシャッタを含むその他の部品は、該第１シェル及び第２シェルと異なる材質で形成されていることが好ましい。
第１シェル及び第２シェルと、シャッタは、その成形に用いられるプラスチックに遮光性物質が０．０１〜５．００重量％添加されていることが好ましい。
第１シェル及び第２シェルと、シャッタは、その成形に用いられるプラスチックにカーボンブラックが０．０１〜２．００重量％添加されていることが好ましい。
第１シェル及び第２シェルと、シャッタは、その成形に用いられるプラスチックにシリコーン系滑剤が０．１〜５．０重量％添加されていることが好ましい。
感光性記録媒体は、ホログラム記録媒体であることが好ましい。
【発明の効果】
【００１２】
本発明によれば、ホログラム記録媒体等の感光性記録媒体の遮光効果を向上できる、感光性記録媒体用カートリッジを提供できる。
【発明を実施するための最良の形態】
【００１３】
以下、本発明に係るホログラム記録媒体用カートリッジ（以下、カートリッジともいう。）の実施形態を図面に基づいて詳しく説明する。図１は、カートリッジを一方から見た状態における外観形状を示す全体斜視図であり、図２は、カートリッジを他方から見た状態における外観形状を示す全体斜視図である。図３は、図１のカートリッジのシャッタを開放した状態を示す全体斜視図である。図４は、カートリッジの装填方向Ａに直行する方向の断面図である。
【００１４】
カートリッジ１０は、カートリッジ本体１１を備えている。カートリッジ本体１１は、略板状に形成された第１シェル１２と、第１シェル１２に重ね合わされるように接合される第２シェル１３とからなる。カートリッジ本体１１の内部には、重ね合わされる第１シェル１２と第２シェル１３との間に区画されるディスク収容部１４が設けられている。なお、本実施形態では、図１において、カートリッジ本体１１の上側のシェルを第１シェル１２とし、また下側のシェルを第２シェル１３としているが、下側のシェルを第１シェル１２とし、また上側のシェルを第２シェル１３としてもよい。
【００１５】
ディスク収容部１４には、円板形状のホログラム記録媒体（以下、記録ディスクという。）４０が回転自在に収容されている。記録ディスク４０は、カートリッジ本体１１の内部に収容された状態で取り扱われる。
【００１６】
記録ディスク４０は、中心部に穴をあけてディスク状に形成したものであり、両面に感光性材料からなるホログラム記録層が設けられた感光性記録媒体である。このホログラム記録層には、例えば、緑色５３２ｎｍ〜青色４０５ｎｍの波長域のレーザ光により、データがレーザ光の干渉縞として多層記録される。なお、記録ディスク４０の穴部に補強材を付加してもよい。
【００１７】
カートリッジ本体１１の第１シェル１２及び第２シェル１３には、ディスク収容部１４に収容した記録ディスク４０を外部に露呈させる開口１７，１８がそれぞれ形成されている。
【００１８】
カートリッジ本体１１には、開口１７，１８を開閉するシャッタ２０が取り付けられている。シャッタ２０を、矢印Ｂ方向に移動させて開き位置とすることで、開口１７，１８が開放される。また、シャッタ２０を、矢印Ｃ方向に移動させて閉じ位置とすることで、開口１７，１８が該シャッタ２０によって遮蔽される。シャッタ２０は、図示しないバネによって閉じ位置側である矢印Ｃ方向に付勢されている。そして、シャッタ２０は、カートリッジ本体１１の両面に形成されたロック機構３０によって、閉じ位置でロックされている。こうして、カートリッジ１０は、カートリッジ本体１１に対する振動や衝撃等によってシャッタ２０が移動し、開口１７，１８が開放されえることを防止している。
【００１９】
カートリッジ１０は、記録ディスク４０にデータを記録する記録装置や、記録ディスク４０からデータを読み出す再生装置に設けられたカートリッジスロットに対して装填方向Ａから挿入される。カートリッジ１０は、記録装置又は再生装置に装填された際に、カートリッジ本体１１の両面に設けられた位置決め穴１５によって位置決めされ、シャッタ２０が開き位置に移動されて開口１７，１８が開放される。
【００２０】
例えば、図１に示す状態でカートリッジ１０が記録装置又は再生装置に装填された場合には、カートリッジ本体１１の下面に位置する第２シェル１３側の開口１８から装置のピックアップ部がカートリッジ本体１１内に挿入され、記録ディスク４０の下面のホログラム記録層に対しデータが記録又は再生される。また、図２に示すように、カートリッジ１０がその上下面を裏返して装置に装填された場合には、下面に配置される第１シェル１２側の開口１７からピックアップ部が挿入され、図１における記録ディスク４０の上面のホログラム記録層にデータが記録又は再生される。
【００２１】
記録装置及び再生装置の内部には、カートリッジ１０のロック機構３０を解除するロック解除機構と、シャッタ２０を閉じ位置と開き位置との間で移動させるシャッタ開閉機構とが組み込まれている。ロック解除機構が、シャッタ２０のロック機構３０を解除し、シャッタ開閉機構がシャッタ２０の側面に形成された挿入穴２１ａに駆動用のピンを挿入し、該ピンを矢印Ｂ方向に駆動させ、シャッタ２０を開き位置まで移動させる。こうして、図３に示すように、カートリッジ１０の両面の開口１７，１８が開放される。
【００２２】
第１シェル１２と第２シェル１３は、遮光性物質と滑剤とが添加された同一又は類似の熱可塑性プラスチックによって形成されている。遮光性物質としては、様々な物質を添加することができるが、使用する遮光性物質に応じて、例えば、０．０１〜５．００重量％を添加することが好ましい。また、遮光性物質として、例えば、カーボンブラックを用いることができる。このカーボンブラックを添加することで遮光性を確保し、物理強度を向上させることができる。カーボンブラックの添加量としては、０．０１〜２．００重量％が好ましい。添加量が０．０１重量％を超えると、遮光性および物理強度の向上という効果が表れるが、２．００重量％を超えると物理強度が低下するためである。
【００２３】
上記滑剤として、例えば、シリコーン系滑剤を用いることができる。このシリコーン系滑剤の添加により摩擦抵抗が低減するため、シャッタ２０の移動による削り屑の発生を少なくすることができる。また、輸送時の衝撃で記録ディスク４０とカートリッジ本体１１の内壁とが接触した場合に、削り屑が発生することを抑制することができる。さらに、記録装置や再生装置等の機器へ挿入する取り扱いが行い易い。また、流動性が向上するため、成形時の混練性、射出成形等の加工性等も向上する。
【００２４】
なお、シリコーン系滑剤の添加量としては、０．１〜３．０重量％が好ましい。これは、０．１重量％以下では効果が少なく、３．０重量％以上では、流動性がよくなりすぎて混練、成形時にスクリューと樹脂とに滑りが生じて加工性が悪化し、製品表面にブリードアウトして記録ディスク４０や使用者の手などに付着し、取り扱い性、外観性で不具合を生じることがあるためである。なお、共重合シリコーンを使用する場合には、上記不具合は生じにくくなるため、５．０重量％まで添加することが可能である。
【００２５】
図５は、本発明に係るカートリッジのシャッタを示す全体斜視図である。
シャッタ２０は、カートリッジ本体２０にスライド可能に支持されるスライド板部２１と、スライド板部２１から垂直に立接され、且つ、互いに平行に配置された一対の遮蔽板部２２，２３とを備えている。また、一対の遮蔽板部２２，２３の少なくとも一方には、シャッタを閉じ位置でロックした際にロック機構３０のロックレバーに係合する爪部２４が形成されている。図１に示すように、シャッタ２０は、遮蔽部材２２，２３同士の間に第１シェル１２及び第２シェル１３を挿し込んだ状態で、カートリッジ本体１１に取り付けられる。このとき、カートリッジ本体１１に設けられた図示しないバネの一部が、スライド板部２１のカートリッジ本体１１側の面に係止されることで、シャッタ２０がその閉じ位置側に付勢された状態で保持される。遮蔽板部２２，２３は、それぞれ略長方形の面を有する略板状の部材であって、その面がシャッタ２０を閉じ位置に移動させた状態で、第１シェル１２及び第２シェル１３に形成された開口１７，１８を完全に覆う形状及び寸法で形成されている。
【００２６】
シャッタ２０の端部、具体的には、各遮蔽板部２２，２３の、一方の長辺端部（図中矢印Ｂ方向側の長辺端部）に屈曲部２２ａ，２３ａが形成されている。屈曲部２２ａ，２３ａは、遮蔽板部２２，２３を金属材料等で構成する場合には、それらの長辺端部を所定の角度だけ折り曲げることで形成してもよい。また、遮蔽板部２２，２３をプラスチックなどの樹脂材料等で構成する場合には、予め遮蔽板部２２，２３と屈曲部２２ａ，２３ａとが形成された形状のキャビティを有する金型で一体成形してもよい。
【００２７】
図４（ａ）は、シャッタ２０が閉じ位置にある状態を示し、図４（ｂ）は、シャッタ２０が開き位置にある状態を示している。
図４（ａ）に示すように、第１シェル１２及び第２シェル１３それぞれの外側面には、スリット３１，３２が形成されている。シャッタ２０を閉じ位置に移動すると、シャッタ２０の遮蔽板部２２，２３における閉じ方向の側端縁２２ｂ，２３ｂがスリット３１，３２に収納される。また、遮蔽板部２２，２３における閉じ方向の反対側に形成された屈曲部２２ａ，２３ａがカートリッジ本体１１に当接する。
【００２８】
図６は、シャッタが閉じ位置にある状態のカートリッジの、一部透視図を含む全体斜視図である。
図６に示すように、第１シェル１２には、閉じ位置のシャッタ２０の屈曲部２２ａに当接する突出部２５が形成されている。また、図４（ａ）に示すように、第２シェル１３には、同様に、閉じ位置のシャッタ２０の屈曲部２３ａに当接する突出部２６が形成されている。
【００２９】
図７は、図４中の矢印Ｘで示す部位を示す拡大断面図であり、図７（ａ）は、シャッタを閉じ位置に移動させる状態を示し、図７（ｂ）は、シャッタが閉じ位置にある状態を示している。
図７（ａ）に示すように、シャッタ２０を閉じ位置に移動させるには、第１シェル１２の外側面上をスライドさせ、屈曲部２２ａが第１シェル１２の突出部２５に当接する位置まで移動させる。図７（ｂ）に示すように、シャッタ２０が閉じ位置にある状態で、屈曲部２２ａにおける第１シェル１２側の面と、突出部２５に形成された傾斜面２５ａとが面接触している。
【００３０】
ここで、屈曲部２２ａは、遮蔽板部における開口１７を遮蔽する面の面方向に対して角度ａ１で、端部が第１シェル１２側に傾斜しているとき、突出部２５の傾斜面２５ａが第１シェル１２の外側面に対して角度ａ２だけ傾斜しているとすれば、ａ１≧ａ２とすることが好ましい。屈曲部２２ａの傾斜角度ａ１を突出部の傾斜面２５ａの傾斜角度ａ２より大きくすれば、屈曲部２２を突出部２５に当接させた状態で、屈曲部２２が弾性変形し、所定の復元力を有しつつ突出部２５に押圧するようになる。なお、図７では、第１シェル１２に突出部２５を設け、この突出部２５に屈曲部２２を当接させている構成を説明したが、第２シェル１３にも突出部２６を設け、同様に屈曲部２３を当接させる構成としている。ここで、シャッタ２０は、屈曲部２２，２３を突出部２５，２６に所定の圧力で押圧させることで弾性変形するように、金属材料又は樹脂材料で構成されていることが好ましい。
【００３１】
本発明のカートリッジ１０は、カートリッジ本体１１の開口１７，１８をシャッタ２０で閉じた状態では、シャッタ２０の端部に形成された屈曲部２２ａ，２３ａがカートリッジ本体１１の一部に当接する。すると、シャッタ２０の屈曲部２２ａ，２３ａとカートリッジ本体１１との間に隙間が生じないため、光が、シャッタ２０の屈曲部２２ａ，２３ａとカートリッジ本体１１との間から進入することを回避することができる。また、シャッタ２０を閉じた状態で屈曲部２２ａ，２３ａがカートリッジ本体１１と当接する構成であるため、シャッタ２０の開閉を妨げることなく、遮光効果を向上させることができる。
【００３２】
本実施形態のように、カートリッジ１０は、図４（ａ）及び図６，７（ｂ）に示すように、シャッタ２０を閉じた状態で、第１シェル１２及び第２シェル１３のうち開口１７，１８が形成された側に、屈曲部２２ａ，２３ａに当接するように形成された突出部２５，２６が形成されている構成とすることが好ましい。こうすれば、開口１７，１８をシャッタ２０で閉じた状態とすると、シャッタ２０の屈曲部２２ａ，２３ａがカートリッジ本体１１側に形成された突出部２５，２６と当接する。シャッタ２０の屈曲部２２ａ，２３ａとカートリッジ本体１１の突出部２５との間に隙間が生じることがないため、光進入することを回避することができる。また、図４（ｂ）及び図７（ａ）に示すように、突出部２５，２６にシャッタ２０の屈曲部２２ａ，２３ａを当接させるため、屈曲部２２ａ，２３ａを第１シェル及び第２シェルの表面に当接又は摺接しない位置に形成することができ、シャッタ２０を開閉する際に屈曲部２２ａ，２３ａとカートリッジ本体１１とが擦れ合ってしまうことを防止することができる。
【００３３】
本実施形態のカートリッジ１０にように、突出部２５に、シャッタ２０を閉じた状態で、屈曲部２２ａ，２３ａの、カートリッジ本体１１と当接する当接面に対して面接触する傾斜面２５ａが形成されている構成とすれば、シャッタ２０を閉じた際に、屈曲部２２ａ，２３ａと突出部２５，２６とが面接触することで、例えば、屈曲部２２ａ，２３ａの縁辺のみでカートリッジ本体１１に線状に接触する構成に比べ、隙間が生じてしまうことをより一層確実に防止することができる。
【００３４】
さらに、屈曲部２２ａがカートリッジ本体との当接によって弾性変形する金属材料又は樹脂材料で構成されていることが好ましい。こうすれば、シャッタ２０を閉じた際に、屈曲部２２ａ，２３ａが所定の圧力でカートリッジ本体１１側に押し付けられることで、屈曲部２２ａ，２３ａが弾性変形した状態となり、弾性によって復元しようとする力によって屈曲部２２ａ，２３ａとカートリッジ本体との接触圧が高くなる。このため、屈曲部２２ａ，２３ａとカートリッジ本体１１側とが屈曲部２２ａ，２３ａの弾性変形の接触圧により密着するため、両者の間に隙間が生じにくく、遮光効果を向上させることができる。
【００３５】
カートリッジ本体１１は、感光性記録媒体４０に対する内面と、シャッタ２０に対する外面とに、表面粗さRa５：〜２０μｍのマット加工、またはシボ加工が施されていることが好ましい。
【００３６】
また、第１シェル１２及び第２シェル１３は、同一または類似の熱可塑性プラスチックで形成され、かつシャッタ２０を含むその他の部品は、該第１シェル１２及び第２シェル１３と異なる材質で形成されていることが好ましい。
【００３７】
第１シェル１２及び第２シェル１３と、シャッタ２０は、その成形に用いられるプラスチックに遮光性物質が０．０１〜５．００重量％添加されていることが好ましい。また、第１シェル１２及び第２シェル１３と、シャッタ２０は、その成形に用いられるプラスチックにカーボンブラックが０．０１〜２．００重量％添加されていることが好ましい。さらに、第１シェル１２及び第２シェル１３と、シャッタ２０は、その成形に用いられるプラスチックにシリコーン系滑剤が０．１〜５．０重量％添加されていることが好ましい。
【００３８】
なお、本発明は、前述した実施形態に限定されるものではなく、適宜な変形、改良などが可能である。
例えば、両面に記録が可能な記録ディスクを収容するカートリッジを例に脱明したが、一方の面に記録される記録ディスクに対応させてもよい。この場合には、開口を一方の面にのみ形成し、シャッタでこの開口を開閉する。また、ホログラム記録媒体を収容するカートリッジを例に説明したが、その他の感光性を有する記録媒体を収容するカ一トリッジにも本発明を適用することができる。
【図面の簡単な説明】
【００３９】
【図１】カートリッジを一方から見た状態における外観形状を示す全体斜視図である。
【図２】カートリッジを他方から見た状態における外観形状を示す全体斜視図である。
【図３】図１のカートリッジのシャッタを開放した状態を示す全体斜視図である。
【図４】カートリッジの装填方向Ａに直行する方向の断面図であり、図４（ａ）は、シャッタ２０が閉じ位置にある状態を示し、図４（ｂ）は、シャッタ２０が開き位置にある状態を示している。
【図５】カートリッジのシャッタを示す全体斜視図である。
【図６】シャッタが閉じ位置にある状態のカートリッジの、一部透視図を含む全体斜視図である。
【図７】図４中の矢印Ｘで示す部位を示す拡大断面図であり、図７（ａ）は、シャッタを閉じ位置に移動させる状態を示し、図７（ｂ）は、シャッタが閉じ位置にある状態を示している。
【符号の説明】
【００４０】
１０    カートリッジ
１１    カートリッジ本体
１２    第１シェル
１３    第２シェル
１７，１８    開口
２０    シャッタ
２２，２３    遮蔽板部
２２ａ，２３ａ    屈曲部
２５，２６    突出部
４０    記録ディスク（ホログラム記録媒体）
【図１】
2007052872.tif 000003
【図２】
2007052872.tif 000004
【図３】
2007052872.tif 000005
【図４】
2007052872.tif 000006
【図５】
2007052872.tif 000007
【図６】
2007052872.tif 000008
【図７】
2007052872.tif 000009